(57)【要約】【課題】一般的に普及しているエアコンは冷媒を空冷する熱交換機が多く、省エネや経費削減等の観点から効率を高める事が求められているものの、活用可能なドレン水が再利用されることなく排水されており、単純に排水されているドレン水を再利用して室外機の熱交換効率の向上を安価で容易に可能とする器具を提供する。【解決手段】エアコン室外機の熱交換機ファンの吸い込み口前に装置を設置し、２又は７のドレンホース差し込み口にドレンホースを差し込んで、室内機から排水されてくるドレン水を取り込み、熱交換機ファンの吸い込み口を覆うフィルター３に毛管現象を用いてドレン水を誘導し、ドレン水の気化熱で熱交換機に取り込まれる空気を冷却し、熱交換効率を高める。【選択図】図１
2012247142.tif 000002
【特許請求の範囲】
【請求項１】
ドレンホースから排出される水を受け皿に受けて毛管現象でドレン水を吸い上げる網型のフィルターをエアコン室外機の熱交換機の空気吸い込みファンの前に設置して気化熱を用いて熱交換機の吸い込み空気の温度を下げて熱交換効率を高める電源などの動力を必要とせず可動部分を持たないエアコン室外機冷却器具。
【請求項２】
ドレンホース差し込み口を持つ受け皿を網型フィルターの上下に持ち、上部受け皿にドレンホースを差し込んだ場合には、上部受け皿から下部受け皿に網型フィルターを染みこむ様に水を伝わらせ、下部受け皿にドレンホースを差し込んだ場合には毛管現象で網型フィルター全体に水を伝わらせ、余った水は下部受け皿より排出される事を特徴とする請求項１に記載のエアコン室外機冷却器具。
【発明の詳細な説明】
【技術分野】
【０００１】
本発明は、一般的な空調装置において単純に破棄されているドレン水を再利用して冷房運転時の冷却効率を高め、環境悪化軽減も計る安価な装置に関するものである。
【背景技術】
【０００２】
エアコン（エアーコンディショナー）での冷房運転時は、室外機に内蔵した圧縮機で冷媒を高温高圧に圧縮して熱交換機で冷却し、室内機で低圧低温のガスにして熱交換機で室内の空気を冷却する。
現在販売・稼働している一般的なエアコンでは室外機の熱交換機は空冷式であり、冷却効率の向上が求められる。
【０００３】
一般的なエアコンの冷房運転時は室内機の熱交換機で結露が発生し、ドレン水として室外に排出されている。
このドレン水を再利用する方法で熱交換機の効率を高める方法や環境悪化を軽減する方法などが提案されている。
【先行技術文献】
【特許文献】
【０００４】
【特許文献１】特開２００４−１９７９８７号公報
【特許文献２】特開２０１０−２１６７０９号公報
【特許文献３】特開２０１０−０６０２２５号公報
【特許文献４】特開２０１０−２７１０２８号公報
【発明の概要】
【発明が解決しようとする課題】
【０００５】
上記の提案のものは、装置可動部分が使用中に混入するゴミや汚れなどで動作不良を起こす可能性があったり、複雑な仕組みで製造コストが高価となったり、取付作業で室外機を移動する必要があったり、取付作業で工具や専門的な技能が必要であったり、安価で容易に導入し安定して稼働させる事が困難である。
【課題を解決するための手段】
【０００６】
本発明は、ドレン水の移動に重力と毛管現象を合わせて利用する事で可動部分を排除して確実で安定した動作を可能にする。
【０００７】
ドレン水を溜める上部と下部の水受けはドレンホース差し込み口を設けたカバーをつける事で装置内にゴミなどの侵入を防せぎ、安定した動作を可能にする。また、水受け本体、カバー共にプラスチックなどの樹脂成形で製造に適した単純な形状とし、製造組み立てを容易にする。
【０００８】
装置の上部と下部の二ヶ所にドレンホース差し込み口を設ける事でエアコンの配管を更に加工することなく容易な設置作業を可能にする。図では示していないが、二ヶ所あるドレンホース差し込み口の未使用の方にはキャップを使用してゴミの侵入を防ぐ。
【０００９】
毛管気化熱フィルターは網戸などに使用されているビニールやナイロン製のフィルターを模した物であり、毛管現象によって下部水受け部に貯まっている水を毛管現象にて吸い上げる事が出来れば材質や形状などは問わないが、二本のナイロン繊維を一組として網状に編み上げた物などが好適である。
【００１０】
装置の形状や素材を製造に配慮した構造とする事で安価な製造を可能にする事を主要な特徴とする。
【発明の効果】
【００１１】
請求項１によれば、一切の可動部品がない為、ゴミなどによる可動部分の動作不良などが無く、安定的に効果を持続する事が出来る。
【００１２】
請求項１によれば、一切の可動部品が無く、単純な構造であるため、少ない部品点数で製造する事が可能であり、安価に装置を製造販売する事が出来る。
【００１３】
請求項２によれば、ドレンホース差し込み口が装置の上部と下部の二ヶ所にあり、ドレンホースの設備工事状況が高い位置でドレンホースが配管より分離している場合には、より効果的に動作する２のドレンホース差し込み口にドレンホースを差し込む事が可能だが、殆どの場合、エアコン設備工事ではドレンホースは室外機の配管口付近で分離しており、特別な技術のない一般人が設備に手を加える事が難しい。しかし、７の下部ドレンホース差し込み口であれば殆どの場合は技術を持たない一般人でも容易に装置を設置する事が可能である。
【図面の簡単な説明】
【００１４】
【図１】図１は装置の全体図である。
【図２】図２は装置の上部水受け部の切断図である。
【図３】図３は装置の下部水受け部の切断図である。
【図４】図４は装置の設置状況である。（実施例１）
【発明を実施するための形態】
【００１５】
一般的なエアコンを冷房運転時の動作を基準に考えた場合、室内機と室外機を備えており、室内機と室外機の間は室外機から室内機へ高圧の冷媒を送る為の管、室内機から室外機へ低圧の冷媒を送る管、室内機から室外機へ電源を供給する配線、室内機と室外機が情報交換をする信号線で接続されており、室内機には熱交換機の結露で発生した水を排出するドレンホースが接続されている。
【００１６】
室外機は室内機から戻された低圧の冷媒をコンプレッサによって圧縮し、圧縮に伴って生じた熱を持った冷媒を熱交換機を用いて冷却し、室内機へと送る。室内機では圧縮冷却されさた冷媒を膨張弁を用いて圧力を低下させ、低圧化に伴って更に冷却された冷媒を熱交換機を介して室内の空気を冷却する。室外機では高温高圧となった冷媒を熱交換機で冷却するが、熱交換機は放熱板を取り付けた高温の冷媒管に送風機で外気を当てて冷却する空冷式である。
【００１７】
その熱交換機のファンの吸い込み口に図４のように装置を設置する。磁石や紐などで固定する事が望ましいが、室外機は通常は壁際などに設置される為、容易な設置を重要視すれば固定は必須ではない。ドレンホースを２又は７のドレンホース差し込み口に差し込んでエアコンを運転する。ドレンホースは２、７のどちらにでも差し込む事が出来るが、２の差し込み口の方が冷却効率をより高める事が出来る。
【００１８】
以後は２のドレンホース差し込み口にドレンホースを差し込んだ場合について説明する。室内機からドレン水が排水されてくると９の上部水受けに１０で示すように貯まり、１２の毛管フィルターを伝うように湿らせながら１６の下部水受けにドレン水が移動し、ドレン水を含む毛管フィルターを通過する事で気化熱を持って冷却された外気を室外機の熱交換機で利用する事で熱交換機の効率を高める。
【００１９】
エアコンの運転開始直後はドレン水の排水がすぐには発生しないが、９、１６の両方の水受けより毛管現象にて常時フィルターが湿っている為、ドレン水の排水を待たずに熱交換効率を高める。
【産業上の利用可能性】
【００２０】
本発明は部品数八点と少なく、毛管気化熱フィルタは既製の網製品を用いる事が出来るし、独自に製造の必要がある各部品も単純な形状にて製造が容易であり、熱または一般的な接着剤による組み立てで製造が可能である為、製造ラインに乗せやすく安価に一般家庭に届ける事が出来、電力消費の軽減、環境悪化の軽減など、現代の様々な問題に貢献できるものである。
【符号の説明】
【００２１】
１    上部水受け部
２    上部ドレンホース差し込み口
３    毛管気化熱フィルタ
４    支柱
５    支柱
６    下部水受け部
７    下部ドレンホース差し込み口
８    上部水受けカバー
９    上部水受け
１０    上部水面
１１    上部毛管気化熱フィルター接着部分
１２    毛管気化熱フィルター
１３    毛管気化熱フィルター
１４    下部毛管気化熱フィルター接着部分
１５    下部水受けカバー
１６    下部水受け
１７    下部水面
１８    ドレンホース
１９    室外機
２０    本装置
【図１】
2012247142.tif 000003
【図２】
2012247142.tif 000004
【図３】
2012247142.tif 000005
【図４】
2012247142.tif 000006